(57)【要約】【課題】ビデオから光ディスクにダビング記録を行う際に、わずらわしい操作を行うことなく、ダビング後の編集作業を容易に行うことができるようにする。【解決手段】音声復調音声判定処理ユニット３は、テープユニット１で読み出した音声信号の種別を判定し、かつ音声信号を増幅・復調する。システム制御ユニット４は、判定された音声種別が切り替わったときに音声の変更情報を生成する。テープユニット１で読み出された映像信号及び音声信号は、増幅・復調された後それぞれＡ／Ｄ変換される。デジタル信号記録処理ユニット７は、映像及び音声デジタルデータを合成するとともに、システム制御ユニット４から入力した音声の変更情報をデジタルデータに付加して編集デジタルデータを生成する。光ディスクユニット８にて、編集デジタルデータを光ディクに書き込む。【選択図】        図１
2004185729.tif 000002
【特許請求の範囲】
【請求項１】
ビデオテープから読み出した映像／音声による記録データを、光ディスクにダビングできるようにしたビデオ／光ディスク一体型記録再生装置において、該ビデオ／光ディスク一体型記録再生装置は、ビデオテープから音声信号及び映像信号を読み出すテープ再生手段と、該テープ再生手段で読み出した音声信号の種別を判定する音声判定手段と、該音声判定手段で判定された音声種別を入力し、音声種別が切り替わったときに音声の変更情報を生成する制御手段と、光ディスクに書き込むための映像及び音声デジタルデータに前記変更情報を付加して編集データを生成するデジタル信号記録処理手段と、該デジタル信号記録処理手段で生成された編集データを光ディスクに書き込む光ディスク書き込み手段とを備えることを特徴とするビデオ／光ディスク一体型記録再生装置。
【請求項２】
請求項１に記載のビデオ／光ディスク一体型記録再生装置において、該ビデオ／光ディスク一体型記録再生装置は、前記テープ再生手段で読み出した映像信号を増幅・復調する映像処理手段と、該映像処理手段で増幅・復調された映像信号をＡ／Ｄ変換する映像信号Ａ／Ｄ変換手段と、前記テープ再生手段で読み出した音声信号を増幅・復調する音声復調手段と、該音声復調手段で増幅・復調された音声信号をＡ／Ｄ変換する音声信号Ａ／Ｄ変換手段とを有し、前記デジタル信号記録処理手段は、前記映像信号Ａ／Ｄ変換手段及び前記音声信号Ａ／Ｄ変換手段から出力されたデジタル映像信号及びデジタル音声信号を合成し、光ディスクに記録するための前記映像及び音声デジタルデータを生成することを特徴とするビデオ／光ディスク一体型記録再生装置。
【請求項３】
請求項１または２に記載のビデオ／光ディスク一体型記録再生装置において、前記音声種別が切り替わったことを示す音声の変更情報として、音声種別の変更部分を示す区切り情報を、前記映像及び音声デジタルデータの音声種別切替部分に付加すること特徴とするビデオ／光ディスク一体型記録再生装置。
【請求項４】
請求項３に記載のビデオ／光ディスク一体型記録再生装置において、前記区切り情報は、ＤＶＤに使用するトラックデータまたはチャプターデータであることを特徴とするビデオ／光ディスク一体型記録再生装置。
【発明の詳細な説明】
【０００１】
【発明の属する技術分野】
本発明は、ビデオ／光ディスク一体型記録再生装置、より詳細には、ビデオテープを記録媒体としてデータの記録再生を行うビデオ記録再生機能と、ＤＶＤ等光ディスクを記録媒体としてデータの記録再生を行う光ディスク記録再生機能とを備え、ビデオテープの記録データを光ディスクにダビングできるビデオ／光ディスク一体型記録再生装置に関する。
【０００２】
【従来の技術】
図２は、ビデオ記録再生部と光ディスク記録再生部とを備えるビデオ／光ディスク一体型記録再生装置を概念的に説明するための図である。ビデオテープを記録媒体としてデータの記録再生を行うビデオ記録再生部１０と、ＤＶＤ等光ディスクを媒体としてデータの記録再生を行う光ディスク記録再生部２０とを備え、ビデオテープの記録データを光ディスクにダビングできる機能を持ったビデオ／光ディスク一体型記録再生装置が提供されている。ダビングにおいては、ビデオ記録再生部１０から映像信号及び音声信号が読み出されて、光ディスク記録再生部に転送され、これら映像信号及び音声信号によるデジタルデータが光ディスクに記録される。
【０００３】
上記のような従来の方法では、例えば、番組とＣＭとが混在した一連の記録データをビデオテープから光ディスクにダビングする際、光ディスクにおいて番組やＣＭ毎に区切りをつけて編集を容易に行うためには、番組やＣＭ毎にビデオの再生停止及び光ディスクの記録停止をユーザが手動で行って区切り情報を付けるか、または編集時にユーザが番組やＣＭの切り替わりを確認して、データ修正処理を行う必要があった。
【０００４】
【発明が解決しようとする課題】
すなわち、従来のビデオ／光ディスク一体型記録再生装置では、ビデオテープに記録された番組が切り替わるたびに、ユーザが手動でビデオテープと光ディスクの停止・再生を繰り返して、番組やＣＭの区切りを付けるか、もしくはダビングの終了後に光ディスクを再生しながら番組やＣＭの区切りを確認して、手動で編集を行う必要があり、ユーザにとっては非常に面倒であり、使い勝手が悪いという問題があった。
【０００５】
本発明は、上述のごとき実情に鑑みてなされたもので、ビデオから光ディスクにダビング記録を行う際に、番組やＣＭ毎にわずらわしい操作を行うことなく、自動的に番組毎及びＣＭ毎に区切りのデータが記録されるようにすることにより、ダビング後の不用なＣＭや番組の消去、移動等の編集作業を容易に行うことができるようにしたビデオ／光ディスク一体型記録再生装置を提供することを目的とする。
【０００６】
【課題を解決するための手段】
本発明の第１の技術手段は、ビデオテープから読み出した映像／音声による記録データを、光ディスクにダビングできるようにしたビデオ／光ディスク一体型記録再生装置において、ビデオ／光ディスク一体型記録再生装置が、ビデオテープから音声信号及び映像信号を読み出すテープ再生手段と、テープ再生手段で読み出した音声信号の種別を判定する音声判定手段と、音声判定手段で判定された音声種別を入力し、音声種別が切り替わったときに音声の変更情報を生成する制御手段と、光ディスクに書き込むための映像及び音声デジタルデータに前記変更情報を付加して編集データを生成するデジタル信号記録処理手段と、デジタル信号記録処理手段で生成された編集データを光ディスクに書き込む光ディスク書き込み手段とを備えることを特徴とする。
【０００７】
本発明の第２の技術手段は、上記第１の技術手段において、該ビデオ／光ディスク一体型記録再生装置が、テープ再生手段で読み出した映像信号を増幅・復調する映像処理手段と、映像処理手段で増幅・復調された映像信号をＡ／Ｄ変換する映像信号Ａ／Ｄ変換手段と、テープ再生手段で読み出した音声信号を増幅・復調する音声復調手段と、音声復調手段で増幅・復調された音声信号をＡ／Ｄ変換する音声信号Ａ／Ｄ変換手段とを有し、デジタル信号記録処理手段は、映像信号Ａ／Ｄ変換手段及び前記音声信号Ａ／Ｄ変換手段から出力されたデジタル映像信号及びデジタル音声信号を合成し、光ディスクに記録するための前記映像及び音声デジタルデータを生成することを特徴とする。
【０００８】
本発明の第３の技術手段は、上記第１または第２の技術手段において、上記の音声種別が切り替わったことを示す音声の変更情報として、音声種別の変更部分を示す区切り情報を、映像及び音声デジタルデータの音声種別切替部分に付加すること特徴とする。
【０００９】
本発明の第４の技術手段は、第３の技術手段において、区切り情報が、ＤＶＤに使用するトラックデータまたはチャプターデータであることを特徴とする。
【００１０】
【発明の実施の形態】
図１は、本発明によるビデオ／光ディスク一体型記録再生装置の一実施例を説明するためのブロック図で、ビデオ／光ディスク一体型記録再生装置において本発明に関わる部分のユニットブロックを示すものである。本実施例のビデオ／光ディスク一体型記録再生装置は、テープユニット１，映像処理ユニット２，音声復調音声判定処理ユニット３，システム制御ユニット４，映像信号Ａ／Ｄ変換ユニット５，音声信号Ａ／Ｄ変換ユニット６，デジタル信号記録処理ユニット７，光ディスクユニット８を有している。
【００１１】
ビデオ／光ディスク一体型記録再生装置は、テープユニット１，映像処理ユニット２，及び音声復調音声判定処理ユニット３によってビデオ記録再生部を構成し、映像信号Ａ／Ｄ変換ユニット５，音声信号Ａ／Ｄ変換ユニット６，デジタル信号記録処理ユニット７，光ディスクユニット８によって光ディスク記録再生部を構成している。またこれらシステム全体がシステム制御ユニット４によって制御される。
【００１２】
テープユニット１は、ビデオテープから音声信号及び映像信号を読み出すテープ再生手段として機能し、音声復調音声判定処理ユニット３は、テープユニット１で読み出した音声信号の種別を判定する音声判定手段、及びテープユニット１で読み出した音声信号を増幅・復調する音声復調手段として機能する。また、システム制御ユニット４は、音声復調判定処理ユニットで判定された音声種別を入力し、音声種別が切り替わったときに音声の変更情報を生成する制御手段として機能する。
【００１３】
映像処理ユニット２は、テープユニット１から読み出した映像信号を増幅・復調する映像処理手段であり、映像信号Ａ／Ｄ変換ユニット５は、映像処理ユニット２で増幅・復調された映像信号をＡ／Ｄ変換する映像信号Ａ／Ｄ変換手段として機能する。また音声信号Ａ／Ｄ変換ユニット６は、音声復調音声判定ユニット３で増幅・復調された音声信号をＡ／Ｄ変換する音声信号Ａ／Ｄ変換手段として機能する。
【００１４】
デジタル信号記録処理ユニット７は、映像信号Ａ／Ｄ変換ユニット５及び音声信号Ａ／Ｄ変換ユニット６から出力されたデジタル映像信号及びデジタル音声信号を合成し、光ディスクに記録するための映像及び音声デジタルデータを生成するとともに、システム制御ユニット４から入力した音声種別の変更情報を、光ディスクに記録するための映像及び音声デジタルデータに付加して編集データを生成するデジタル信号記録処理手段として機能する。また光ディスクユニット８は、デジタル信号記録処理ユニット７で生成された編集データを光ディクに書き込む光ディスク書き込み手段として機能する。
【００１５】
ビデオテープには、通常映像信号と音声信号が記録されている。音声信号にはモノラル，ステレオ，音声多重の信号種別があり、ビデオ再生時にはこれらのいずれかの信号種別による音声信号が映像信号とともにテープユニット１から出力される。出力された映像信号は映像処理ユニット２で増幅・復調処理がなされ、また音声信号は音声復調音声判定処理ユニット３で増幅・復調処理がなされた後、光ディスク記録再生部へ送られる。
【００１６】
音声復調音声判定処理ユニット３では、音声信号の種別を判定することができる。すなわち、音声信号が、モノラル音声記録，ステレオ音声記録，または音声多重記録のいずれの種別の信号であるかを判定することができる。音声復調判定処理ユニット３は、上記の判定結果をシステム制御ユニット４へ転送することで、ビデオテープに記録された音声信号の種別を装置全体に瞬時に認知させることができる。
【００１７】
テープユニット１から出力され、映像処理ユニット３で増幅・復調された映像信号は、映像信号Ａ／Ｄ変換ユニット５でデジタル変換される。また音声復調音声判定処理ユニット３で増幅・復調された音声信号は、音声信号Ａ／Ｄ変換ユニット６でデジタル変換される。そしてデジタル変換されたこれら映像信号及び音声信号は、デジタル信号記録処理ユニット７で合成され、光ディスクユニット８に送られる。
【００１８】
このときに、システム制御ユニット４は、音声復調音声判定処理ユニット３からの音声種別の判定結果に従って、音声信号の種別が切り替わった際に、音声種別が変化したことを示す音声変化情報をデジタル信号記録処理ユニット７に送る。デジタル信号記録処理ユニット７では、システム制御ユニット４から入力した音声変化情報に応じて、光ディスクに記録される前のデジタルデータに対して区切りの情報を付加して自動編集データを作成する。ここでいう区切りの情報とは、例えばＤＶＤではトラックデータやチャプターデータにあたる。そして光ディスクユニット８は、光ディスクに自動編集データを記録する。
【００１９】
なお、実際のデータ記録においては、区切りデータを付加する際に、一旦光ディスクへの記録を停止して区切りデータを付加しなければならない場合もあるが、この場合でも、音声復調音声判定処理ユニット３によって音声種別の切替を判定することにより、自動的にビデオテープと光ディスクとを連動させて、これらの記録、再生、停止を行うことができるので、ユーザに余計な操作を要求することはない。
【００２０】
【発明の効果】
以上の説明から明らかなように、本発明によれば、複数の番組やＣＭが記録されたビデオテープから光ディスクにデータのダビングを行う場合に、番組やＣＭ毎にわずらわしい操作を行うことなく、自動的に番組毎及びＣＭ毎に区切りのデータが記録されるので、ダビング後の不用なＣＭや番組の消去、移動等の編集作業を容易に行うことができる。
【図面の簡単な説明】
【図１】本発明によるビデオ／光ディスク一体型記録再生装置の一実施例を説明するためのブロック図である。
【図２】ビデオ記録再生部と光ディスク記録再生部とを備えるビデオ／光ディスク一体型記録再生装置を概念的に説明するための図である。
【符号の説明】
１…テープユニット、２…映像処理ユニット、３…音声復調音声判定処理ユニット、４…システム制御ユニット、５…映像信号Ａ／Ｄ変換ユニット、６…音声信号Ａ／Ｄ変換ユニット、７…デジタル信号記録処理ユニット、８…光ディスクユニット。
【図１】
2004185729.tif 000003
【図２】
2004185729.tif 000004